(57)【特許請求の範囲】
【請求項１】
梁主筋として使用する緊張用線材を定着するための定着金具を両端部に備えたプレキャストコンクリート梁部材を製作し、
複数の前記プレキャストコンクリート梁部材を現場において直列にセットし、
直列にセットした複数の前記プレキャストコンクリート梁部材に、長尺の緊張用線材を挿通して緊張し、
緊張した前記緊張用線材を、複数の前記プレキャストコンクリート梁部材の各々の両端部に備えた前記定着金具に定着する、
ことを特徴とするプレキャストコンクリート梁部材の梁主筋の配筋方法。
【請求項２】
前記定着金具として、緊張用線材貫通孔を有し、外周面にねじ部を有するアンカー主体と、同アンカー主体における前記緊張用線材貫通孔に楔入され、且つ先端に面取りが施された前記緊張用線材の楔止用楔片と、前記アンカー主体の外周面ねじ部が螺装されるナット式支圧板とより構成された定着金具を使用することを特徴とする請求項１記載のプレキャストコンクリート梁部材の梁主筋の配筋方法。
【発明の詳細な説明】
【０００１】
【発明の属する技術分野】
本発明は、プレキャストコンクリート梁（以下ＰＣ梁という）部材を用いて鉄筋コンクリート構造物を構築する際における、ＰＣ梁部材の梁主筋の配筋方法に係るものである。
【０００２】
【従来の技術】
従来工法においては柱を所定位置毎に建て、ＰＣ梁部材をセットする。同ＰＣ梁部材内にはＬ型の肋筋と梁主筋が内蔵され、梁主筋は重ね継ぎ、または圧接していた。
【０００３】
【発明が解決しようとする課題】
鉄筋は運搬できる長さが決っているため、必ず継手を必要とする。圧接継手の作業は狭い場所での作業になり、作業性が悪く、時には不良個所ができてしまう。
また重ね継手は重ね筋が上に追いやられるので応力的に不利である。
【０００４】
更に梁鉄筋を前記梁部材の端部に定着するための定着金具の楔は小さく、同補強鉄筋の一部分に応力が集中してその表面毀損し、断面欠損を生起していた。
本発明は前記従来技術の有する問題点に鑑みて提案されたもので、その目的とするところは作業性が向上されたＰＣ梁部材の梁主筋の配筋方法であって、ＰＣ梁部材の梁主筋の緊張力の調整及び梁主筋の緊張，定着時、同主筋を毀損することのない配筋方法を提供する点にある。
【０００５】
【課題を解決するための手段】
前記の目的を達成するため、本発明に係るプレキャストコンクリート梁部材の梁主筋の配筋方法によれば、梁主筋として使用する緊張用線材を定着するための定着金具を両端部に備えたプレキャストコンクリート梁部材を製作し、複数の前記プレキャストコンクリート梁部材を現場において直列にセットし、直列にセットした複数の前記プレキャストコンクリート梁部材に、長尺の緊張用線材を挿通して緊張し、緊張した前記緊張用線材を、複数の前記プレキャストコンクリート梁部材の各々の両端部に備えた前記定着金具に定着するものである。
【０００６】
また本発明に係るプレキャストコンクリート梁部材の梁主筋の配筋方法は、前記定着金具として、緊張用線材貫通孔を有し、外周面にねじ部を有するアンカー主体と、同アンカー主体における前記緊張用線材貫通孔に楔入され、且つ先端に面取りが施された前記緊張用線材の楔止用楔片と、前記アンカー主体の外周面ねじ部が螺装されるナット式支圧板とより構成された定着金具を使用するものである。
【０００７】
【発明の実施の形態】
以下、本発明を図面に示す本発明の最も好適な実施の形態について説明する。
本発明に係る配筋方法によれば、先ず、梁主筋として使用する緊張用線材を定着するための定着金具を両端部に備えた断面Ｕ型のＰＣ梁部材２を製作する。
また、現場において、所定位置毎に柱１を立設し、同柱１間に断面Ｕ型のＰＣ梁部材２を架設する。このとき、図１に示したように、複数のＰＣ梁部材２を直列にセットする。同各ＰＣ梁部材２にはＬ型肋筋３、仮設用補助筋４が内蔵されている。図中５は柱主筋である。
【０００８】
断面Ｕ型のＰＣ梁部材２の梁主筋としては、鋼線，炭素繊維，アラミド繊維，ガラス繊維等の線材より構成された緊張用線材７が使用され、同緊張用線材７は長尺の１本もの線材より構成され、長尺のままドラム６に捲装して現場に搬入し、図示のようにドラム６を懸吊するか、施工基盤面等にドラム６を搬入，載置する。而して同ドラム６より緊張用線材７を巻き戻し、直列にセットした複数のＰＣ梁部材２に挿通して緊張し、それら複数のＰＣ梁部材２の端部に取り付けられた緊張用定着金具８に定着する。
【０００９】
図３乃至図８は前記定着金具の一実施例を示し、ねじ式アンカー９の外周ねじ部９ａがナット式支圧板１０に螺挿され、前記ねじ式アンカー９のテーパー孔９ｂに緊張用線材７を抱持する複数の楔片１１が楔入されている。なお前記楔片１１の先端部１１ａには楔片先端で緊張用線材７を毀傷して同緊張用線材７の断面欠損を生起することのないように、丸い面取り部が設けられている。
【００１０】
従ってねじ式アンカー９を緩めたり、緊締することによって緊張用線材７の緊張力を容易に調整できる。
また楔片１１との付着面積が小さいと、緊張用線材７にかかる支圧が大きくなり、緊張用線材７の狭い部分に負担がかかるので、楔片１１を長くして緊張用線材７との付着面積を大きくした。
【００１１】
【発明の効果】
本発明は前記したように、梁主筋として使用する緊張用線材を定着するための定着金具を両端部に備えたプレキャストコンクリート梁部材を製作し、複数の前記プレキャストコンクリート梁部材を現場において直列にセットし、直列にセットした複数の前記プレキャストコンクリート梁部材に、長尺の緊張用線材を挿通して緊張することによって、１本の線材で複数スパンの梁部材の梁主筋が配筋される。而してこのように設置された線材より構成された梁主筋は、複数の前記梁部材の各々の両端部に取り付けられた定着金具に定着され、１スパンずつの梁部材に緊張力が与えられる。
【００１２】
このように本発明によれば緊張用線材からなる梁主筋を長尺のままで運搬，搬入が可能となり、取扱いが簡略化され、複数スパンの梁部材の梁主筋を一本の線材で配筋でき、梁部材の端部に取り付けられた定着金具を介して、１スパンずつの梁部材に緊張力が与えられ、梁主筋の圧接，重ね継ぎ等、継手に要する作業が省略できるとともに、梁主筋の材料を最小限にすることができる。
【００１３】
また本発明に用いるプレキャストコンクリート部材の梁主筋の定着金具は、緊張用線材貫通孔を有し、外周面にねじ部を有するアンカー主体と、同アンカー主体の緊張用線材貫通孔に挿入された緊張用線材の楔止用楔片と、前記アンカー主体の外周面ねじ部が螺装されるナット式支圧板とより構成されているので、梁主筋の圧接，重ね継ぎ等の継手に要する作業が省略でき、また梁主筋の材料を最小限にすることができる。更に前記ねじ式アンカーによって容易に緊張用線材の緊張力を調整することができる。
【００１４】
また、楔片の長さを長くして緊張用線材との付着面積を大きくすることができ、更に同楔片の先端に面取りを施すことによって、楔片の先端で緊張用線材の毀損を防止し楔片の断面欠損を防止しうるものである。
【図面の簡単な説明】
【図１】  本発明に係るＰＣ梁部材の梁主筋の配筋を示す柱梁組立概念図である。
【図２】  断面Ｕ型のＰＣ梁部材の断面図である。
【図３】  定着金具の平面図である。
【図４】  図３の矢視Ａ−Ａ’図である。
【図５】  定着金具の縦断面図である。
【図６】  図５の矢視Ｘ−Ｘ’図である。
【図７】  図５の矢視Ｙ−Ｙ’図である。
【図８】  図５の部分Ｚの拡大図である。
【符号の説明】
１      柱
２      ＰＣ梁部材
３      Ｌ型肋筋
４      仮設用補助筋
５      柱主筋
６      ドラム
７      緊張用線材（梁主筋）
８      緊張用定着金具
９      ねじ式アンカー
９ａ    ねじ部
１０    ナット式支圧板
１１    楔片
１１ａ  楔片の先端部
【図１】
0003773131.tif 000002
【図２】
0003773131.tif 000003
【図３】
0003773131.tif 000004
【図４】
0003773131.tif 000005
【図５】
0003773131.tif 000006
【図６】
0003773131.tif 000007
【図７】
0003773131.tif 000008
【図８】
0003773131.tif 000009